(57)【要約】【課題】ＬＮＧ船の蒸発ガス再液化方法を開示する。【解決手段】本発明のＬＮＧ船の蒸発ガス再液化方法は、１）蒸発ガスを圧縮するステップ；２）蒸発ガスを冷媒として前記１）ステップで圧縮した蒸発ガスを熱交換器で熱交換して冷却するステップ；３）前記２）ステップで冷却された流体を膨張させるステップ；及び４）前記１）のステップで圧縮した後で前記熱交換器に供給される再液化対象蒸発ガスの流量が変動しても再液化性能を安定的に維持するステップ；を含み、前記１）ステップ〜３）ステップを経て再液化された蒸発ガスの量がＨＹＳＹＳによる計算値の５０％以上で維持される。【選択図】図１
2018119684.tif 000002
【特許請求の範囲】
【請求項１】
１）蒸発ガスを圧縮するステップ；
２）蒸発ガスを冷媒として、前記１）ステップで圧縮した蒸発ガスを熱交換器で熱交換して冷却するステップ；
３）前記２）ステップで冷却された流体を膨張させるステップ；及び
４）前記１）ステップで圧縮した後で前記熱交換器に供給される再液化対象蒸発ガスの流量が変動しても、再液化性能を安定的に維持するステップ；を含み、
前記１）ステップ〜３）ステップを経て再液化された蒸発ガスの量がＨＹＳＹＳによる計算値の５０％以上で維持されるＬＮＧ船の蒸発ガス再液化方法。
【請求項２】
５）前記３）ステップで膨張された流体を気液分離するステップをさらに含むことを特徴とする請求項１に記載のＬＮＧ船の蒸発ガス再液化方法。
【請求項３】
前記５）ステップで気液分離された気体成分は、蒸発ガスと合流して前記２）ステップで熱交換の冷媒として使用されることを特徴とする請求項２に記載のＬＮＧ船の蒸発ガス再液化方法。
【請求項４】
前記ＬＮＧ船の運航速度は１０〜１７ｋｎｏｔであることを特徴とする請求項１〜３のいずれか１項に記載のＬＮＧ船の蒸発ガス再液化方法。
【請求項５】
前記１）ステップで圧縮した蒸発ガスの一部はエンジンの燃料として使用され、
前記エンジンの燃料として使用される蒸発ガスの流量が１，１００〜２，６６０ｋｇ／ｈであることを特徴とする請求項１〜３のいずれか１項に記載のＬＮＧ船の蒸発ガス再液化方法。
【請求項６】
前記エンジンは、推進用エンジン及び発電用のエンジンを備えることを特徴とする請求項５に記載のＬＮＧ船の蒸発ガス再液化方法。
【請求項７】
前記再液化対象蒸発ガスの流量が１，９００〜３，３００ｋｇ／ｈであることを特徴とする請求項１〜３のいずれか１項に記載のＬＮＧ船の蒸発ガス再液化方法。
【請求項８】
前記２）ステップで熱交換の冷媒として使用される蒸発ガスの流量を基準に、前記再液化対象蒸発ガスの流量の比が０．４２〜０．７２の範囲であることを特徴とする請求項１〜３のいずれか１項に記載のＬＮＧ船の蒸発ガス再液化方法。
【請求項９】
前記１）ステップで圧縮した蒸発ガスのうち、前記エンジンに送らない蒸発ガスを更に圧縮した後で前記熱交換器に送ることを特徴とする請求項５に記載のＬＮＧ船の蒸発ガス再液化方法。
【請求項１０】
１）蒸発ガスを圧縮するステップ；
２）蒸発ガスを冷媒として、前記１）ステップで圧縮した蒸発ガスを熱交換して冷却するステップ；
３）前記２）ステップで冷却された流体を膨張させるステップ；及び
４）前記２）ステップで熱交換の冷媒として使用される蒸発ガスの流量が変動しても、再液化性能を安定的に維持するステップ；を含み、
前記１）ステップ〜３）のステップを経て再液化された蒸発ガスの量がＨＹＳＹＳによる計算値の５０％以上で維持されるＬＮＧ船の蒸発ガス再液化方法。
【請求項１１】
５）前記３）ステップで膨張された流体を気液分離するステップをさらに含み、
前記５）ステップで気液分離された気体成分は蒸発ガスと合流して、前記２）ステップで熱交換の冷媒として使用されることを特徴とする請求項１０に記載のＬＮＧ船の蒸発ガス再液化方法。
【請求項１２】
貯蔵タンクから排出される蒸発ガスを高圧で圧縮し、高圧圧縮蒸発ガスの全部または一部を前記貯蔵タンクから排出される蒸発ガスと熱交換器で熱交換するステップ；及び熱交換した高圧圧縮蒸発ガスを減圧するステップ；を含む、高圧ガス噴射エンジンを備えるＬＮＧ船の蒸発ガス再液化方法において、
ＬＮＧ船の運航条件の変更、再液化対象蒸発ガスの流量が変動しても、再液化性能を安定的に維持するステップ；を含み、
再液化した蒸発ガスの量がＨＹＳＹＳによる計算値の５０％以上で維持される高圧ガス噴射エンジンを備えるＬＮＧ船の蒸発ガス再液化方法。
【請求項１３】
前記高圧圧縮蒸発ガスは超臨界状態であることを特徴とする請求項１２に記載の高圧ガス噴射エンジンを備えるＬＮＧ船の蒸発ガス再液化方法。
【請求項１４】
前記高圧圧縮蒸発ガスの圧力は１００〜４００ｂａｒａであることを特徴とする請求項１２に記載の高圧ガス噴射エンジンを備えるＬＮＧ船の蒸発ガス再液化方法。
【請求項１５】
前記高圧圧縮蒸発ガスの圧力は１５０〜４００ｂａｒａであることを特徴とする請求項１４に記載の高圧ガス噴射エンジンを備えるＬＮＧ船の蒸発ガス再液化方法。
【請求項１６】
前記高圧圧縮蒸発ガスの圧力は１５０〜３００ｂａｒａであることを特徴とする請求項１５に記載の高圧ガス噴射エンジンを備えるＬＮＧ船の蒸発ガス再液化方法。
【発明の詳細な説明】
【技術分野】
【０００１】
本発明は、ＬＮＧ船の貯蔵タンク内部で発生した蒸発ガスのうち、エンジンで使用されずに余った余剰蒸発ガスを、蒸発ガス自体を冷媒として使用して再液化する方法及びシステムに関する。
【背景技術】
【０００２】
近年、液化天然ガス（ＬＮＧ）などの液化ガスの消費量が世界的に急増しつつある。ガスを低温で液化した液化ガスは、ガスに比べて体積が非常に減少するため、貯蔵及び移送効率が高まるという長所がある。また、ＬＮＧなどの液化ガスは、液化工程中に大気汚染物質が除去または軽減され、燃焼時に大気汚染物質の排出が少なく、環境にやさしい燃料である。
【０００３】
ＬＮＧは、メタン（ｍｅｔｈａｎｅ）が主成分である天然ガスを約−１６３℃に冷却し液化することで得られる無色透明な液体であり、天然ガスに比べて体積が約１／６００である。したがって、天然ガスを液化して移送すると非常に効率的な移送が可能となる。
【０００４】
しかし、天然ガスの液化温度は常圧で−１６３℃の極低温であり、ＬＮＧは温度変化に敏感であるからすぐ蒸発してしまう。そのため、ＬＮＧを貯蔵する貯蔵タンクには断熱処理が施されるが、外部熱が貯蔵タンクまで継続的に伝達されてＬＮＧの輸送過程で貯蔵タンク内では継続的にＬＮＧが自然気化して蒸発ガス（ＢＯＧ）が発生する。
【０００５】
蒸発ガスは損失の１つであって、輸送効率において重要な問題である。また、貯蔵タンク内に蒸発ガスが蓄積されたらタンク内圧が過度に上昇し、極端な場合にはタンク破損の虞もある。したがって、貯蔵タンク内で発生する蒸発ガスを処理する様々な方法が研究され、最近では蒸発ガスを処理するために、蒸発ガスを再液化して貯蔵タンクに戻す方法、蒸発ガスを船舶のエンジンなどの燃料消費先のエネルギー源として使用する方法などが利用されている。
【０００６】
蒸発ガスを再液化する方法には、別の冷媒を用いた冷凍サイクルを備えて蒸発ガスを冷媒と熱交換して再液化する方法、別の冷媒なしで蒸発ガス自体を冷媒にして再液化する方法などがある。特に、後者の方法を採用したシステムを部分再液化システム（Ｐａｒｔｉａｌ  Ｒｅ−ｌｉｑｕｅｆａｃｔｉｏｎ  Ｓｙｓｔｅｍ、ＰＲＳ）という。
【０００７】
また、船舶で一般的に使用するエンジンのうち、天然ガスを燃料として使用することができるエンジンには、ＤＦＤＥ、Ｘ−ＤＦエンジン、ＭＥ−ＧＩエンジンなどのガス燃料エンジンがある。
【０００８】
ＤＦＤＥは４ストローク機関であり、比較的低圧である６．５ｂａｒ程度の圧力の天然ガスを燃焼空気入口に注入して、ピストンが上昇しながら圧縮するオットーサイクル（Ｏｔｔｏ  Ｃｙｃｌｅ）を採用している。
【０００９】
Ｘ−ＤＦエンジンは２ストローク機関であり、１６ｂａｒ程度の天然ガスを燃料として使用し、オットーサイクルを採用している。
【００１０】
ＭＥ−ＧＩエンジンは２ストローク機関であり、３００ｂａｒ程度の高圧天然ガスをピストンの上死点付近で燃焼室に直接噴射するディーゼルサイクル（Ｄｉｅｓｅｌ  Ｃｙｃｌｅ）を採用している。
【発明の概要】
【発明が解決しようとする課題】
【００１１】
本発明は、再液化性能を安定化して再液化の効率と量を高めることができる、ＬＮＧ船の蒸発ガス再液化方法及びシステムを提供する。
【課題を解決するための手段】
【００１２】
前記目的を達成するため本発明の実施形態では、１）蒸発ガスを圧縮するステップ；２）蒸発ガスを冷媒として、前記１）ステップで圧縮した蒸発ガスを熱交換器で熱交換して冷却するステップ；３）前記２）ステップで冷却された流体を膨張させるステップ；及び４）前記１）ステップで圧縮した後で前記熱交換器に供給される再液化対象蒸発ガスの流量が変動しても、再液化性能を安定的に維持するステップ；を含み、前記１）ステップ〜３）ステップを経て再液化された蒸発ガスの量がＨＹＳＹＳによる計算値の５０％以上で維持されるＬＮＧ船の蒸発ガス再液化方法が提供される。
【００１３】
前記ＬＮＧ船の蒸発ガス再液化方法は、５）前記３）ステップで膨張された流体を気液分離するステップをさらに含むことができる。
【００１４】
前記５）ステップで気液分離された気体成分は、蒸発ガスと合流して前記２）ステップで熱交換の冷媒として使用されるる。
【００１５】
前記ＬＮＧ船の蒸発ガス再液化方法において、ＬＮＧ船の運航速度は１０〜１７ｋｎｏｔであることを特徴とする。
【００１６】
前記１）ステップで圧縮した蒸発ガスの一部はエンジンの燃料として使用され、前記エンジンの燃料として使用される蒸発ガスの流量が１，１００〜２，６６０ｋｇ／ｈであることを特徴とする。
【００１７】
前記エンジンは、推進用エンジン及び発電用のエンジンを備える。
【００１８】
前記ＬＮＧ船の蒸発ガス再液化方法は、前記再液化対象蒸発ガスの流量が１，９００〜３，３００ｋｇ／ｈであることを特徴とする。
【００１９】
前記ＬＮＧ船の蒸発ガス再液化方法は、前記２）ステップで熱交換の冷媒として使用される蒸発ガスの流量を基準に、前記再液化対象蒸発ガスの流量の比が０．４２〜０．７２の範囲であることを特徴とする。
【００２０】
前記１）ステップで圧縮された蒸発ガスのうち、前記エンジンに送らない蒸発ガスを更に圧縮した後で前記熱交換器に送る。
【００２１】
前記目的を達成するため本発明の他の実施形態では、１）蒸発ガスを圧縮するステップ；２）蒸発ガスを冷媒として、前記１）ステップで圧縮した蒸発ガスを熱交換して冷却するステップ；３）前記２）ステップで冷却された流体を膨張させるステップ；及び４）前記２）ステップで熱交換の冷媒として使用される蒸発ガスの流量が変動しても、再液化性能を安定的に維持するステップ；を含み、前記１）ステップ〜３）ステップを経て再液化された蒸発ガスの量がＨＹＳＹＳによる計算値の５０％以上で維持されるＬＮＧ船の蒸発ガス再液化方法が提供される。
【００２２】
前記ＬＮＧ船の蒸発ガス再液化方法は、５）前記３）ステップで膨張された流体を気液分離するステップをさらに含み、前記５）ステップで気液分離された気体成分は蒸発ガスと合流して前記２）ステップで熱交換の冷媒として使用される。
【００２３】
前記目的を達成するため本発明の更に他の実施形態では、貯蔵タンクから排出される蒸発ガスを高圧で圧縮し、高圧圧縮蒸発ガスの全部または一部を前記貯蔵タンクから排出される蒸発ガスと熱交換器で熱交換するステップ；及び熱交換した高圧圧縮蒸発ガスを減圧するステップ；を含む、高圧ガス噴射エンジンを備えるＬＮＧ船の蒸発ガス再液化方法において、ＬＮＧ船の運航条件の変更、再液化対象蒸発ガスの流量が変動しても、再液化性能を安定的に維持するステップを含み、再液化された蒸発ガスの量がＨＹＳＹＳによる計算値の５０％以上で維持される高圧ガス噴射エンジンを備えるＬＮＧ船の蒸発ガス再液化方法が提供される。
【００２４】
前記高圧圧縮蒸発ガスは超臨界状態である。
【００２５】
前記高圧圧縮蒸発ガスの圧力は１００〜４００ｂａｒａである。
【００２６】
前記高圧圧縮蒸発ガスの圧力は１５０〜４００ｂａｒａである。
【００２７】
前記高圧圧縮蒸発ガスの圧力は１５０〜３００ｂａｒａである。
【発明の効果】
【００２８】
本発明は、再液化対象蒸発ガスの流量が変わっても再液化性能を安定的に維持する。
【００２９】
本発明の一実施形態では、熱交換器に供給される流体または熱交換器から排出される流体を分散させて、特定のブロックに冷媒が集中する現象を緩和する。
【００３０】
本発明の一実施形態では、複数のブロック間だけでなく、各々のブロック内でも冷媒が均等に分散し、多孔板とコアの離隔を維持できる。特に、多孔板とコアが接触し、流路が塞がって流体のコアへの流動が阻害されることを防止する。
【００３１】
本発明の一実施形態では、多孔板を熱伸縮の解消ができるように熱交換器と結合させるため、極低温の蒸発ガスとの接触によって収縮しても、多孔板の屈曲と破損、多孔板の連結部分の破損を防止する。
【００３２】
本発明の一実施形態では、熱交換器が流体に抵抗を与える形状のチャネルを備えるため、流体を分散させる別の部材の追加がなくても、特定のブロックに冷媒が集中する現象を緩和または防止する。
【図面の簡単な説明】
【００３３】
【図１】本発明の一実施形態に係る蒸発ガス再液化の概念を説明するための基本的なモデルを示す図である。
【図２】本発明の一実施形態に係る蒸発ガス再液化システムにおいて、再液化対象蒸発ガスの圧力が３９ｂａｒａ、５０ｂａｒａ〜１２０ｂａｒａの範囲における１０ｂａｒａごとの各圧力である場合の高温流体と低温流体とのそれぞれの熱流量による温度変化を示したグラフである。
【図３】本発明の一実施形態に係る蒸発ガス再液化システムにおいて、再液化対象蒸発ガスの圧力が１３０ｂａｒａ〜２００ｂａｒａの範囲における１０ｂａｒａごとの各圧力、及び３００ｂａｒａである場合の高温流体と低温流体とのそれぞれの熱流量による温度変化を示したグラフである。
【図４】再液化対象蒸発ガスの圧力が３９ｂａｒａである場合における、本発明の一実施形態に係る蒸発ガス再液化システムの概略図である。
【図５】再液化対象蒸発ガスの圧力が１５０ｂａｒａである場合における、本発明の一実施形態に係る蒸発ガス再液化システムの概略図である。
【図６】再液化対象蒸発ガスの圧力が３００ｂａｒａである場合における、本発明の一実施形態に係る蒸発ガス再液化システムの概略図である。
【図７】表１の「再液化量」を３９ｂａｒａ〜３００ｂａｒａの圧力範囲で示したグラフである。
【図８】表１の「再液化量」を３９ｂａｒａ〜３００ｂａｒａの圧力範囲で示したグラフである。
【図９】従来のＰＣＨＥの概略図である。
【図１０】本発明の第１実施形態に係る熱交換器の概略図である。
【図１１】本発明の第２実施形態に係る熱交換器が備える第１隔壁または第２隔壁の概略図である。
【図１２】本発明の第２実施形態に係る熱交換器が備える第１隔壁と第１多孔板の概略図である。
【図１３】本発明の第２実施形態に係る熱交換器が備える第２隔壁と第２多孔板の概略図である。
【図１４】本発明の第２実施形態に係る熱交換器が備える第３隔壁または第４隔壁の概略図である。
【図１５】本発明の第２実施形態に係る熱交換器が備える第３隔壁と第３多孔板の概略図である。
【図１６】本発明の第２実施形態に係る熱交換器が備える第４隔壁と第４多孔板の概略図である。
【図１７】（ａ）は従来の熱交換器の冷媒の流れを示した概略図である。（ｂ）は本発明の好ましい第１実施形態に係る熱交換器の冷媒の流れを示した概略図である。（ｃ）は、本発明の好ましい第２実施形態に係る熱交換器の冷媒の流れを示した概略図である。
【図１８】（ａ）は熱交換器の内部温度を測定するために設置した温度センサの位置を示した概略図である。（ｂ）は（ａ）に図示された位置で、温度センサがそれぞれ測定した熱交換器の内部の温度分布を示したグラフである。
【図１９】本発明の好ましい第３実施形態に係る熱交換器の一部を示す概略図である。
【図２０】図１９のＡ部分を拡大した概略図である。
【図２１】本発明の好ましい第４実施形態に係る熱交換器の一部を示す概略図である。
【図２２】図２１のＢ部分を拡大した概略図である。
【図２３】（ａ）は熱交換器の全体形状の概略図である。（ｂ）はブロックの概略図である。（ｃ）は、チャネルプレートの概略図である。
【図２４】（ａ）は図２３（ｃ）に図示された低温流体用のチャネルプレートをＣ方向から見た様子の概略図である。（ｂ）は従来の熱交換器の低温流体用のチャネルプレートのチャネルの概略図である。（ｃ）は本発明の好ましい第５実施形態に係る熱交換器の低温流体用のチャネルプレートのチャネルの概略図である。（ｄ）は本発明の好ましい第６実施形態に係る熱交換器の低温流体用のチャネルプレートのチャネルの概略図である。
【発明を実施するための形態】
【００３４】
以下、添付した図面を参照して、本発明の実施形態の構成と作用を詳細に説明する。本発明は、天然ガスを燃料として使用するエンジンを搭載した船舶と液化ガス貯蔵タンクを備えた船舶などに様々な応用と適用が可能である。また、下記実施形態は、様々な他の形態に変形が可能であり、本発明の範囲は下記の実施形態に限定されない。
【００３５】
後述する本発明の蒸発ガス処理システムは、低温液体貨物または液化ガスを貯蔵する貯蔵タンクが設置された全種類の船舶と海洋構造物、例えば、ＬＮＧ運搬船（ＬＮＧ  Ｃａｒｒｉｅｒ）、液化エタンガス運搬船（Ｌｉｑｕｅｆｉｅｄ  Ｅｔｈａｎｅ  Ｇａｓ  Ｃａｒｒｉｅｒ）、ＬＮＧ  ＲＶなどの船舶をはじめ、ＬＮＧ  ＦＰＳＯ、ＬＮＧ  ＦＳＲＵなどの海上構造物に適用することができる。ただし、後述の実施形態では、説明の便宜上、代表的な低温液体貨物である液化天然ガスを例に説明し、ＬＮＧ船は、ＬＮＧ運搬船、ＬＮＧ  ＲＶ、ＬＮＧ  ＦＰＳＯ、ＬＮＧ  ＦＳＲＵなどを含む概念である。
【００３６】
また、本発明の各ラインにおける流体は、システムの運用条件に応じて、液体状態、気液混合状態、気体状態、超臨界流体状態のいずれかの状態である。
【００３７】
図１は、本発明の一実施形態に係る蒸発ガス再液化の概念を説明するための基本的なモデルを示す。
【００３８】
図１を参照すると、本発明は、貯蔵タンクから排出された蒸発ガス（１）を熱交換器に送って冷媒として使用した後に圧縮機で圧縮し、圧縮機で圧縮した蒸発ガスはエンジンの燃料として使用し（２）、エンジンの要求量を超えて余った余剰蒸発ガス（３）を熱交換器に送って、貯蔵タンクから排出された蒸発ガス（１）を冷媒として熱交換して冷却する。
【００３９】
圧縮機で圧縮した後に熱交換器で冷却した再液化対象蒸発ガスは、減圧手段（例えば、膨張バルブ、膨張機）を通過した後、気液分離器によって液体成分と気体成分とに分離される。気液分離器で分離された液体成分は貯蔵タンクに戻され、気液分離器で分離された気体成分は貯蔵タンクから排出された蒸発ガス（１）と合流し冷媒として再び熱交換器に供給される。
【００４０】
本発明は、蒸発ガスを再液化するために別の追加サイクルを使用するのではなく、貯蔵タンクから排出された蒸発ガス自体を冷媒として使用し蒸発ガスを再液化することを特徴とする。必要に応じて全蒸発ガスの再液化を保障するため、別の冷凍サイクルを備えることも可能である。別のサイクルを備えることで、追加装置と追加動力が必要となるのは短所であるが、ほぼ全量の蒸発ガスの再液化が保障される。
【００４１】
本発明のように蒸発ガス自体を冷媒として使用して蒸発ガスを再液化するシステムの再液化性能は、再液化される蒸発ガス（以下、「再液化対象蒸発ガス」という。）の圧力によって大幅に異なるが、再液化対象蒸発ガスの圧力による再液化性能を調べる実験（以下、「実験１」とする。）結果は下記の通りである。
【００４２】
（実験１）
再液化対象蒸発ガスの圧力による再液化性能評価実験の条件は、下記の通りである。
【００４３】
１．対象船舶：推進用エンジンである高圧ガス噴射エンジンと、発電用エンジンである低圧エンジンを備えたＬＰＧ運搬船。
【００４４】
２．プロセス計算プログラム：Ａｓｐｅｎ  ＨＹＳＹＳ  Ｖ８．０
【００４５】
３．物性値の計算式：Ｐｅｎｇ−Ｒｏｂｉｎｓｏｎ方程式
【００４６】
４．蒸発ガスの量：１７０，０００ＣＢＭ（ｃｕｂｉｃ  ｍｅｔｅｒ）級のＬＰＧ運搬船で約３，５００ｋｇ／ｈ〜４，０００ｋｇ／ｈの蒸発ガスが発生するため、本実験では３，８００ｋｇ／ｈを適用する。
【００４７】
５．蒸発ガスの成分：貯蔵タンクから排出された蒸発ガスと圧縮機で圧縮した蒸発ガスの両方に、窒素（Ｎ２）１０％、メタン（ＣＨ４）９０％の組成を適用する。
【００４８】
６．貯蔵タンクから排出された蒸発ガスの温度と圧力：圧力は１．０６ｂａｒａ、温度は−１２０℃を適用する。
【００４９】
７．エンジンの燃料消費量：実際の船舶運航の際には経済性を考慮して、エンジンを低負荷で運転するが、本実験では推進用エンジンと発電用のエンジンで使用する蒸発ガスの総量が、貯蔵タンクで発生する蒸発ガス（３，８００ｋｇ／ｈ）の７０％である２，６６０ｋｇ／ｈであると仮定する。
【００５０】
８．圧縮機の容量：通常の圧縮機容量は、貯蔵タンクで発生する蒸発ガスの１５０％を超えないが、本計算では圧縮機の吸込流量を基準に、貯蔵タンクで発生する蒸発ガスの１２０％（３，８００ｋｇ／ｈ×１２０％＝４，６５０ｋｇ／ｈ）を適用する。
【００５１】
９．熱交換器の性能：対数平均温度差（ＬＭＴＤ；Ｌｏｇａｒｉｔｈｍｉｃ  Ｍｅａｎ  Ｔｅｍｐｅｒａｔｕｒｅ  Ｄｉｆｆｅｒｅｎｃｅ）１３℃以上、最小二乗法（Ｍｉｎｉｍｕｍ  Ａｐｐｒｏａｃｈ）３℃以上を適用する。
【００５２】
熱交換器を設計する際には、熱交換器に流入する低温流体と高温流体の温度と熱流量は各々固定し、冷媒として使用する流体の温度が冷却する流体の温度より高くならないようにして（すなわち、熱流量による温度を示したグラフで、低温流体のグラフと高温流体のグラフが交差しないように）、対数平均温度差（ＬＭＴＤ；Ｌｏｇａｒｉｔｈｍｉｃ  Ｍｅａｎ  Ｔｅｍｐｅｒａｔｕｒｅ  Ｄｉｆｆｅｒｅｎｃｅ）を可能な限り小さくする。
【００５３】
対数平均温度差（ＬＭＴＤ）は、高温流体と低温流体が互いに反対方向から注入して反対側に排出される熱交換方式の対向流である場合、低温流体が熱交換器を通過する前の温度をｔｃ１、低温流体が熱交換器を通過した後の温度をｔｃ２、高温流体が熱交換器を通過する前の温度をｔｈ１、高温流体が熱交換器を通過した後の温度をｔｈ２、ｄ１＝ｔｈ２−ｔｃ１、ｄ２＝ｔｈ１−ｔｃ２であるとした場合、（ｄ２−ｄ１）／ｌｎ（ｄ２／ｄ１）で表現される数値であり、対数平均温度差が小さいほど熱交換器の効率は高くなる。
【００５４】
熱流量による温度を示したグラフにおける対数平均温度差（ＬＭＴＤ）は、冷媒として使用する低温流体と、冷媒と熱交換されて冷却する高温流体の間隔で表し、低温流体と高温流体の間隔が狭いほど対数平均温度差（ＬＭＴＤ）が少ないことを意味し、対数平均温度差（ＬＭＴＤ）が少ないのは熱交換器の効率が高いことを意味する。
【００５５】
前記１〜９の実験条件の熱力学計算は、再液化対象蒸発ガスの高圧圧縮が再液化性能に与える影響を定量的に提示するために実施した。蒸発ガスの圧力による再液化性能と熱交換器の冷却曲線の特性を検証するために、再液化対象蒸発ガスの圧力は、３９ｂａｒａ、５０ｂａｒａ〜２００ｂａｒａの範囲における１０ｂａｒａごとの各圧力、２５０ｂａｒａ及び３００ｂａｒａで各圧力別の再液化量と熱交換器の冷却曲線を熱力学的に計算した。
【００５６】
図２は、本発明の一実施形態に係る蒸発ガス再液化システムにおいて、再液化対象蒸発ガスの圧力が３９ｂａｒａまたは５０ｂａｒａ〜１２０ｂａｒａの範囲における１０ｂａｒａごとの各圧力である場合の高温流体と低温流体との各々の熱流量による温度変化を示したグラフである。図３は、本発明の一実施形態に係る蒸発ガス再液化システムにおいて、再液化対象蒸発ガスの圧力が１３０ｂａｒａ〜２００ｂａｒａの範囲における１０ｂａｒａごとの各圧力または３００ｂａｒａである場合の高温流体と低温流体の各々の熱流量による温度変化を示したグラフである。
【００５７】
また、図４は、再液化対象蒸発ガスの圧力が３９ｂａｒａである場合の本発明の一実施形態に係る蒸発ガス再液化システムの概略図である。図５は、再液化対象蒸発ガスの圧力が１５０ｂａｒａである場合の本発明の一実施形態に係る蒸発ガス再液化システムの概略図である。図６は、再液化対象蒸発ガスの圧力が３００ｂａｒａである場合の本発明の一実施形態に係る蒸発ガス再液化システムの概略図である。
【００５８】
表１は、本発明の一実施形態に係る蒸発ガス再液化システムで、再液化対象蒸発ガスの圧力による再液化性能の計算値を示す。
【００５９】
【表１】
2018119684.tif 000003
【００６０】
また、図７及び図８は、前記表１の「再液化量」を３９ｂａｒａ〜３００ｂａｒａの圧力範囲で示したグラフである。
【００６１】
図２〜図８及び表１を参照した結果、再液化対象蒸発ガスの冷却曲線において、たとえ蒸発ガスの圧縮圧力が超臨界状態の区間であっても、５０ｂａｒａ〜１００ｂａｒａの範囲では３９ｂａｒａの場合に見られた潜熱区間のような水平区間が徐々に減少しつつも存在することが確認され、圧縮圧力１６０ｂａｒａで最大液化量（膨張前の冷却温度−１２２．４℃、再液化量１，１７４．６ｋｇ／ｈ、再液化量の相対比率２０８．４％）を示すことが確認された。
【００６２】
再液化対象蒸発ガスが低圧の場合と高圧の場合において最も大きい差は膨張前の冷却温度である。図８から分かるように、圧力による冷却曲線の差のため、低圧の場合には膨張前の冷却温度で限界が発生して冷却温度を大幅に下げることができないのに対し、高圧の場合には貯蔵タンクから排出される蒸発ガスの温度近くまで冷却が可能である。
【００６３】
この差は、蒸発ガスの主成分であるメタン（ｍｅｔｈａｎｅ、ＣＨ４）の物性値の特性上、臨界圧力（純粋なメタンの場合は約４７ｂａｒａ）以下では潜熱区間が存在し、その臨界圧力以上で潜熱区間と類似な区間が存在するが、減少していることがわかる。したがって、再液化量の観点では、蒸発ガスを再液化する場合には臨界圧力の４７ｂａｒａ以上で実施することが好ましい。
【００６４】
一方、ＭＥ−ＧＩエンジンは燃料ガスの供給圧力が１５０ｂａｒａ〜４００ｂａｒａ（主に３００ｂａｒａで運転）の範囲であるが、図７及び表１の結果のように、再液化対象蒸発ガスの圧力が１５０〜１７０ｂａｒａ付近である場合に再液化量が最大値を示し、１５０〜３００ｂａｒａの間では液化量の変化がほぼないという点で、ＭＥ−ＧＩエンジンに燃料を供給しながら蒸発ガスを再液化する場合には、再液化や燃料供給の制御が容易になるという利点がある。
【００６５】
表１の「再液化量」は、図４〜図６において、圧縮機（１０）、熱交換器（２０）、及び減圧装置（３０）を通過した後に気液分離器（４０）で分離した再液化された液化天然ガスの流量を示し、「再液化量の相対比率」は、再液化対象蒸発ガスが３９ｂａｒａである場合の再液化量に比べて各圧力における再液化量の相対比率（％）を表す。
【００６６】
一方、「再液化率」で再液化性能を示すことも可能であり、再液化率は再液化された液化天然ガスの流量を再液化対象蒸発ガス全体の流量で割った値を示す。すなわち、「再液化量」は再液化された液化天然ガスの絶対量を表し、「再液化率」は全体の再液化対象蒸発ガスのうち再液化された液化天然ガスの割合を表す。
【００６７】
一例として、船舶の速度が低くて推進用エンジンで蒸発ガスの使用量が少なくなると、再液化対象蒸発ガスの量が増加し、「再液化量」も増加する。しかし、前記実験１の条件では、冷媒として使用される流体である、貯蔵タンクから排出される蒸発ガスと気液分離器で分離した気体成分の合計が圧縮機の容量制限によりほぼ一定であるため、「再液化率」は減少する。
【００６８】
前記実験１で圧縮機に流入する冷媒の流量は、貯蔵タンクで発生する蒸発ガス３，８００ｋｇ／ｈの１２０％である４，５６０ｋｇ／ｈであり、この中で、エンジンの使用量２，６６０ｋｇ／ｈ（ＭＥ−ＧＩエンジン２，０４２ｋｇ／ｈ＋ＤＦＤＧ６１８ｋｇ／ｈ）を除いた１，９００ｋｇ／ｈが再液化対象蒸発ガスとなる。
【００６９】
再液化対象蒸発ガスの圧力を４００ｂａｒａまで高めて実験しても３００ｂａｒａの場合と大差はなく、１５０ｂａｒａの場合と４００ｂａｒａの場合の再液化流量差は４％以内であった。
【００７０】
一方、図２及び図３の各グラフにおいて、破線（上）で表示された高温流体は再液化対象蒸発ガスを意味し、実線（下）で表示された低温流体は貯蔵タンクから排出された蒸発ガス、すなわち冷媒を意味する。
【００７１】
図２及び図３の各グラフで、熱流量は変化するが温度変化がない直線区間が潜熱区間であり、メタンは超臨界流体の状態で潜熱区間がない特性があるため、超臨界流体であるか否かによって再液化量は大幅に異なる。すなわち、再液化対象蒸発ガスが超臨界流体である場合には熱交換時に潜熱区間がないため、再液化流量及び再液化率が高くなる。
【００７２】
以上の結果をまとめると、再液化対象蒸発ガスが超臨界状態である場合に再液化性能が高く、特に１００ｂａｒａ〜４００ｂａｒａの範囲で、好ましくは１５０ｂａｒａ〜４００ｂａｒａの範囲で、より好ましくは１５０ｂａｒａ〜３００ｂａｒａの範囲で再液化性能が高かった。
【００７３】
ＭＥ−ＧＩエンジンの要求圧力が１５０ｂａｒａ〜４００ｂａｒａである点を考慮すると、ＭＥ−ＧＩエンジンの要求圧力を満たすため圧縮した蒸発ガスを、そのまま再液化対象蒸発ガスとして使用する場合、再液化性能が高くなるため、ＭＥ−ＧＩエンジンに燃料を供給するシステムと蒸発ガス自体を冷媒として使用する蒸発ガス再液化システムとを連携させると非常に有利な利点があることを確認できる。
【００７４】
一方、上述した実験１は再液化対象蒸発ガスの圧力による再液化性能をシミュレーションプログラムによって評価したものであり、続いてこの結果が熱交換器を使用する実際の再液化装置で同じ結果を示すか否かを調べるために、ＰＣＨＥ（Ｐｒｉｎｔｅｄ  Ｃｉｒｃｕｉｔ  Ｈｅａｔ  Ｅｘｃｈａｎｇｅｒ）を使用して実験（以下、「実験２」という。）した。
【００７５】
（実験２）
実際の運航条件では蒸発ガスの発生量は一定であるが、エンジンで使用する蒸発ガスの量が変化するため、エンジンで使用されず余った再液化対象蒸発ガスの流量が変化する。したがって、実験２では、再液化対象蒸発ガスの流量を変えながら、実際の再液化装置の再液化性能を評価した。実験の便宜上、爆発性を有するメタンに代えて一般的に多く使用される窒素を冷媒として利用し、使用される窒素の温度は貯蔵タンクから排出された蒸発ガスと同様に調整し、その他の条件も前記実験１の１〜９の条件と同様に調整した。
【００７６】
また、運航条件に応じて使用するＭＥ−ＧＩエンジンの燃料消費量が変化するため、実際のＬＮＧ運搬船を想定して実験した。前記実験１の条件で、ＬＮＧ運搬船のＭＥ−ＧＩエンジンの大きさを２５ＭＷ（１２．５ＭＷ、２機）であると想定して最高速度で運航すれば約１９．５ｋｎｏｔ（エンジンの燃料消費量は約３，８００ｋｇ／ｈ）で運航することができ、経済的速度で運航すれば約１７ｋｎｏｔ（エンジンの燃料消費量は約２，６６０ｋｇ／ｈ）で運航することになる。したがって、実際の運航条件を考慮すると、最高運航速度の１９．５ｋｎｏｔ、経済的運航速度の１７ｋｎｏｔ及び停泊状態（ＭＥ−ＧＩエンジンの燃料消費量０、ＤＦＤＧの燃料消費量６１８ｋｇ／ｈ）がほとんどの運航条件になる。実験２では、これらの条件で各々の再液化性能を実験した。
【００７７】
冷媒と再液化対象蒸発ガスとして窒素を使用する場合には、再液化対象蒸発ガスの流量に関係なく、再液化性能が前記実験１の計算値とほぼ同じ水準であることが確認された。すなわち、ＬＮＧ運搬船の運航速度に応じて推進用エンジンの蒸発ガス消費量が異なるため、再液化対象蒸発ガスの流量も変わるが、冷媒及び再液化対象蒸発ガスとして窒素を使用する場合には再液化対象蒸発ガスの流量に関係なく再液化性能が安定的に維持された。
【００７８】
しかし、実際の蒸発ガス再液化システムでは、冷媒及び再液化対象蒸発ガスに窒素の代わりにメタン（すなわち、実際の貯蔵タンクで発生する蒸発ガス）を適用した場合には、ＬＮＧ運搬船が停泊状態や、最高運航速度の付近（最高運航速度の条件ではＬＮＧ貯蔵タンクで発生する蒸発ガスのほとんどを燃料として使用することもある。）で再液化性能が前記実験１の計算値とほぼ同じ結果を示し、経済的運航速度である最高運航速度の燃料消費量の７０％で船舶を運航する場合とそれ以下の速度で船舶を運航する場合には、再液化性能が理論的予想値の７０％以下を示し、運航速度区間によっては再液化性能がより低い場合も確認された。すなわち、冷媒及び再液化対象蒸発ガスとして窒素の代わりにメタン（すなわち、実際の貯蔵タンクで発生する蒸発ガス）を使用する場合には、再液化対象蒸発ガスの流量によって再液化性能が理論上の計算値に達しない区間が存在した。
【００７９】
具体的に、実際の蒸発ガス再液化システムの再液化性能が理論的な計算値に達しない区間を例示すると下記の通りである。
【００８０】
１．２５ＭＷのＭＥ−ＧＩエンジンを使用するＬＮＧ運搬船が１０〜１７ｋｎｏｔの速度で運航する場合。
【００８１】
２．貯蔵タンクで発生する蒸発ガスの流量が３，８００ｋｇ／ｈであって、エンジン（推進用エンジンのＭＥ−ＧＩエンジン＋発電用エンジンのＤＦＤＧ）で燃料として使用する蒸発ガスの流量が１，１００〜２，６６０ｋｇ／ｈである場合。
【００８２】
３．貯蔵タンクで発生する蒸発ガスの流量が３，８００ｋｇ／ｈであって、再液化対象蒸発ガスの流量が１，９００〜３，３００ｋｇ／ｈである場合。
【００８３】
４．冷媒として使用される蒸発ガス（気液分離器で分離した気体成分を含む。）の流量に対する再液化対象蒸発ガスの流量の比が０．４２〜０．７２の範囲である場合。
【００８４】
船舶の運航条件または再液化対象蒸発ガスの流量によって実際に測定される再液化量と理論的な計算値には大差があるため、この問題を解決する必要が生じた。再液化性能が低くなって再液化されない蒸発ガスが多くなると、蒸発ガスの外部排出と燃焼によるエネルギーの浪費、別の再液化サイクルによって再液化するなどの追加措置が必要になるという問題がある。このように、窒素と異なって蒸発ガスの再液化性能が理論的な予想値と大差があるのは、窒素と蒸発ガスの物性値の差に起因すると考えられる。
【００８５】
以上の結果からＬＮＧ運搬船の運航条件が変わっても、すなわち、再液化対象蒸発ガスの流量が変動しても、再液化性能を安定的に維持するステップが必要であることが分かる。
【００８６】
したがって、本発明の実施形態では、貯蔵タンクから排出される蒸発ガスを高圧で圧縮し、高圧圧縮蒸発ガスの全部または一部を分岐させて貯蔵タンクから排出される蒸発ガスと熱交換するステップ、及び熱交換した高圧圧縮蒸発ガスを減圧するステップを含む高圧ガス噴射エンジンを備えるＬＮＧ船の蒸発ガス再液化方法において、ＬＮＧ船の運航条件が変更、または再液化対象蒸発ガスの流量が変動しても、再液化性能を安定的に維持するステップを含むことを特徴とする、高圧ガス噴射エンジンを備えるＬＮＧ船の蒸発ガス再液化方法を提供する。
【００８７】
また、ＬＮＧ船に搭載されるエンジンが、高圧ガス噴射エンジンではなく、Ｘ−ＤＦエンジンなどの比較的低圧の蒸発ガスを燃料として使用する場合には、低圧エンジンの燃料として供給するために圧縮した蒸発ガスのうち再液化過程を経由する余剰蒸発ガスを更に加圧した後で再液化する場合に本発明の利点がある。
【００８８】
前記再液化方法は、ＬＮＧ船が１０〜１７ｋｎｏｔの速度で運航すること、エンジン（推進用エンジン＋発電用エンジン）の燃料として使用する蒸発ガスの流量が１，１００〜２，６６０ｋｇ／ｈであること、再液化対象蒸発ガスの流量が１，９００〜３，３００ｋｇ／ｈであること、または冷媒として使用する蒸発ガス（気液分離器で分離した気体成分を含む。）の流量に対する再液化対象蒸発ガスの流量の比が０．４２〜０．７２の範囲であることを特徴とする。
【００８９】
前記再液化性能を安定的に維持するステップは、熱交換器の比熱比（Ｈｅａｔ  Ｃａｐａｃｉｔｙ  Ｒａｔｉｏ）が０．７〜１．２の範囲である場合に、再液化性能が安定的に維持されることを特徴とする。
【００９０】
比熱比をＣＲ、高温流体（本発明では再液化対象蒸発ガス）の流量をｍ１、高温流体の比熱をｃ１、低温流体（本発明では冷媒として使用する蒸発ガス）の流量をｍ２、低温流体の比熱をｃ２とした場合、次式（１）を満足する。
ＣＲ＝（ｍ１×ｃ１）／（ｍ２×ｃ２）  （１）
【００９１】
前記実験２では、冷媒として使用する蒸発ガス（気液分離器で発生する気体成分を含む。）の量は一定に維持されて再液化対象蒸発ガスの量が変化する場合、すなわち、前記式（１）のｍ２は一定に維持されてｍ１が変化する場合に再液化性能が計算値に達しないことが確認されたが、それだけでなく、冷媒として使用する蒸発ガス（気液分離器で発生する気体成分を含む。）の量が変化しても、すなわち、前記式（１）でｍ２が変化しても再液化性能が計算値に達しないことが確認された。
【００９２】
したがって、本発明の再液化性能を安定的に維持するステップは、冷媒として使用する蒸発ガス（気液分離器で発生する気体成分を含む。）の量と、再液化対象蒸発ガスの量のうちいずれか１つ以上が変動する場合に、熱交換器の比熱比０．７〜１．２の範囲である場合にも再液化性能が安定的に維持されることを特徴とする。
【００９３】
また、前記再液化性能を安定的に維持するステップは、前記実験１の計算条件の再液化量が計算値の５０％以上になるように維持することを特徴とする。好ましくは、前記計算値の６０％、さらに好ましくは７０％以上になるように維持することを特徴とする。再液化量が計算値の５０％以下になると、ＬＮＧ運搬船の運航時に運航条件によって、余った蒸発ガスをガス燃焼装置（ＧＣＵ）で燃焼して捨てなければならないという問題がある。
【００９４】
以上の結果からＬＮＧ運搬船の運航条件が変わっても、すなわち、再液化対象蒸発ガスの流量が変動しても、再液化性能を安定的に維持するステップが必要であることが分かる。
【００９５】
また、再液化性能が理論的な予想値と大差がある原因の１つは、２つ以上のブロックを結合した形態の熱交換器が原因であることが分かった。
【００９６】
実際のＬＮＧ蒸発ガス再液化システムに適用する熱交換器は、再液化対象蒸発ガスが高圧である場合に有利であるＰＣＨＥであり、ＫＯＢＥＬＣＯ社、ＡＬｆａ  Ｌａｖａｌ社、Ｈｅａｔｒｉｃ社などが製造していて、処理容量のため１つのブロックでは限界があり、２つ以上のブロックを組み合わせて使用する必要がある。
【００９７】
２つ以上のブロックを結合して使用する必要のある場合の蒸発ガス処理容量を、「Ａ以上Ｂ以下」であるとした場合、Ａは１，５００ｋｇ／ｈ、２，０００ｋｇ／ｈ、２，５００ｋｇ／ｈ、３，０００ｋｇ／ｈ、３，５００ｋｇ／ｈのいずれか１つであることもあり、Ｂは７，０００ｋｇ／ｈ、６，０００ｋｇ／ｈ、５，０００ｋｇ／ｈのいずれか１つであることもある。一例として、２つ以上のブロックを結合して使用する必要のある場合の蒸発ガス処理容量は２，５００ｋｇ／ｈ以上５，０００ｋｇ／ｈ以下であることもある。
【００９８】
図１０は、従来のＰＣＨＥの概略図である。
【００９９】
図１０を参照すると、従来のＰＣＨＥは、高温流体流入パイプ（Ｈｏｔ  Ｇａｓ  Ｉｎｌｅｔ  Ｐｉｐｅ、１１０）、高温流体流入ヘッド（Ｈｏｔ  Ｇａｓ  Ｉｎｌｅｔ  Ｈｅａｄｅｒ、１２０）、コア（Ｃｏｒｅ、１９０）、高温流体排出ヘッド（Ｈｏｔ  Ｇａｓ  Ｏｕｔｌｅｔ  Ｈｅａｄｅｒ、１３０）、高温流体排出パイプ（Ｈｏｔ  Ｇａｓ  Ｏｕｔｌｅｔ  Ｐｉｐｅ、１４０）、低温流体流入パイプ（Ｃｏｌｄ  Ｇａｓ  Ｉｎｌｅｔ  Ｐｉｐｅ、１５０）、低温流体流入ヘッド（Ｃｏｌｄ  Ｇａｓ  Ｉｎｌｅｔ  Ｈｅａｄｅｒ、１６０）、低温流体排出ヘッド（Ｃｏｌｄ  Ｇａｓ  Ｏｕｔｌｅｔ  Ｈｅａｄｅｒ、１７０）、及び低温流体排出パイプ（Ｃｏｌｄ  Ｇａｓ  Ｏｕｔｌｅｔ  Ｐｉｐｅ、１８０）を備える。
【０１００】
熱交換器に供給された高温流体は、高温流体流入パイプ（１１０）を介して熱交換器の内部に流入した後、高温流体流入ヘッド（１２０）によって分散され、コア（１９０）に送られる。コア（１９０）に送られた高温流体は、コア（１９０）で低温流体と熱交換して冷却された後、高温流体排出ヘッド（１３０）に溜まって高温流体排出パイプ（１４０）を介して熱交換器の外部に排出される。
【０１０１】
熱交換器に供給された低温流体は、低温流体流入パイプ（１５０）を介して熱交換器の内部に流入した後、低温流体流入ヘッド（１６０）によって分散されてコア（１９０）に送られる。コア（１９０）に送られた低温流体は、コア（１９０）で高温流体を冷却する熱交換の冷媒として使用された後、低温流体排出ヘッド（１７０）に溜まって低温流体排出パイプ（１８０）を介して熱交換器の外部に排出される。
【０１０２】
本発明における熱交換器の冷媒として使用する低温流体は、貯蔵タンクから排出された蒸発ガス（気液分離器で分離した気体成分を含む。）であり、熱交換器で冷却される高温流体は圧縮した再液化対象蒸発ガスである。
【０１０３】
一方、コア（１９０）は複数のブロックを備えることができ（図９は、３つのブロックを備える場合を示す。以下、本明細書において熱交換器のコアが３つのブロックを備える場合を説明するが、これに限定されない。）、熱交換器のコアが２つ以上のブロックを備えると、ブロックの間に空間が存在し、ブロックの間の空間に存在する空気が断熱層の役割をして、ブロック間の熱伝導度が低下することになる。
【０１０４】
後述する図１８（ｂ）グラフを参照すると、ブロック間の断熱層または断熱部（ギャップ（ｇａｐ）、バリアー空気等）によりブロック間の温度分布が不均一であることが確認できる。
【０１０５】
また、冷媒として蒸発ガスを使用する場合、特定のブロックに先に冷媒が流入すると、冷媒が先に流入したブロックに、後で供給される冷媒が偏る現象が生じ、先に冷媒が流入されたブロックの温度が他のブロックの温度に比べてより低くなる。
【０１０６】
冷媒が先に流入したブロックに冷媒が偏る現象とブロック間の熱伝導度が低下する現象が重なると、ブロック間の温度差が大きくなり、最終的には再液化性能が低下する結果となる。すなわち、特定のブロックに冷媒が偏っても、ブロック間の熱伝導度が高ければブロック間の温度差は大きくならないが、ブロック間の空気が断熱層の役割をすると、ブロック間の温度差は大きくなる。
【０１０７】
図１０は、本発明の第１実施形態に係る熱交換器の概略図である。
【０１０８】
図１０を参照すると、本実施形態の熱交換器は、図９に図示した従来のＰＣＨＥの構成に加えて、高温流体流入ヘッド（１２０）とコア（１９０）との間に設置される第１多孔板（２１０）、高温流体排出ヘッド（１３０）とコア（１９０）との間に設置される第２多孔板（２２０）、低温流体流入ヘッド（１６０）とコア（１９０）との間に設置される第３多孔板（２３０）、と低温流体排出ヘッド（１７０）とコア（１９０）との間に設置される第４多孔板（２４０）のうち少なくとも１つ以上をさらに備える。
【０１０９】
本実施形態の熱交換器は、熱交換器に供給または熱交換器から排出される流体を分散させる手段を備えることを特徴として、流体を分散させるために流体の流れに抵抗を与える手段を使用することができる。本実施形態の多孔板（２１０、２２０、２３０、２４０）は流体を分散させる手段または流体の流れに抵抗を与える手段の一例であり、本実施形態の熱交換器が多孔板を備えることに限定されない。
【０１１０】
本実施形態の多孔板（２１０、２２０、２３０、２４０）は、複数の孔が形成された薄い板部材であり、第１多孔板（２１０）は高温流体流入ヘッド（１２０）の断面と同じ大きさと形状を有することが好ましく、第２多孔板（２２０）は高温流体排出ヘッド（１３０）の断面と同じ大きさと形状を有することが好ましく、第３多孔板（２３０）は低温流体流入ヘッド（１６０）の断面と同じ大きさと形状を有することが好ましく、第４多孔板（２４０）は低温流体排出ヘッド（１７０）の断面と同じ大きさと形状を有することが好ましい。
【０１１１】
本実施形態の多孔板（２１０、２２０、２３０、２４０）に形成された複数の孔はすべての断面積が同じであることも可能であり、流体が流入または排出されるパイプ（１１０、１４０、１５０、１８０）付近の断面積は狭く、パイプ（１１０、１４０、１５０、１８０）から離れるほど断面積が広い孔が形成されることも可能である。
【０１１２】
また、本実施形態の多孔板（２１０、２２０、２３０、２４０）に形成された複数の孔は、形成密度が均一であることも可能であり、流体が流入または排出されるパイプ（１１０、１４０、１５０、１８０）付近の形成密度は低く、パイプ（１１０、１４０、１５０、１８０）から離れるほど形成密度が高くなることも可能である。形成密度が低いというのは、同じ面積内により少ない孔が形成されていることを意味し、形成密度が高いというのは、同じ面積により多くの孔が形成されていることを意味する。
【０１１３】
また、本実施形態の多孔板（２１０、２２０、２３０、２４０）は、第１多孔板（２１０）及び第３多孔板（２３０）を通過した流体がコア（１９０）に効果的に分散して流入するように、またはコア（１９０）から排出された流体が効果的に分散して第２多孔板（２２０）及び第４多孔板（２４０）を通過できるように、コア（１９０）から所定間隔を離して設置されることが好ましい。多孔板（２１０、２２０、２３０、２４０）とコア（１９０）との間の距離は、例えば約２０〜５０ｍｍである。
【０１１４】
本実施形態の熱交換器は、第１〜第４多孔板（２１０、２２０、２３０、２４０）の少なくとも１つ以上によって流体を分散させるため、特定のブロックに冷媒が偏る現象が緩和される。
【０１１５】
本発明の第２実施形態に係る熱交換器は、図１０に図示した第１実施形態の熱交換器を備える構成に加えて、第１多孔板（２１０）とコア（１９０）との間に設置される第１隔壁（３１０）、コア（１９０）と第２多孔板（２２０）との間に設置される第２隔壁（３２０）、第３多孔板（２３０）とコア（１９０）との間に設置される第３隔壁（３３０）、及びコア（１９０）と第４多孔板（２４０）との間に設置される第４隔壁（３４０）を備える。
【０１１６】
図１１は、本発明の第２実施形態に係る熱交換器が備える第１隔壁または第２隔壁の概略図である。図１２は、本発明の第２実施形態に係る熱交換器が備える第１隔壁と第１多孔板の概略図である。図１３は、本発明の第２実施形態に係る熱交換器が備える第２隔壁と第２多孔板の概略図である。
【０１１７】
本実施形態の第１〜第４隔壁（３１０、３２０、３３０、３４０）はそれぞれ、第１〜第４多孔板（２１０、２２０、２３０、２４０）によって分散された流体が再び集まることを防止する。
【０１１８】
図１１及び図１２を参照すると、本実施形態の第１隔壁（３１０）は、第１多孔板（２１０）の周縁部を所定の高さで囲み、囲まれた内部空間を複数の領域に分割する形状である。図１１（ａ）及び図１２（ａ）には、第１多孔板（２１０）の周縁部を所定の高さで囲んだ内部空間を４個に分割した形状が示され、図１１（ｂ）及び図１２（ｂ）には８個に分割した形状が示されている。
【０１１９】
図１１（ｂ）及び図１２（ｂ）に図示した第１隔壁（３１０）は、第１多孔板（２１０）の周縁部を所定の高さで囲んだ内部空間を、図１１（ａ）及び図１２（ａ）に示したように一方向の格子で分割するだけではなく、他方向の格子でも分割する。すなわち、図１１（ａ）及び図１２（ａ）に図示した第１隔壁（３１０）において、第１多孔板（２１０）の周縁部を所定の高さで囲んで内部空間を分割する部材を垂直部材（１）であるとすれば、図１１（ｂ）及び図１２（ｂ）に図示した第１隔壁（３１０）は、複数の垂直部材（１）だけでなく、各垂直部材（１）との間の空間を分割する複数の水平部材（２）を備え、一方向の格子と他方向の格子が互いに交差して内部空間を分割する。
【０１２０】
図１１（ｂ）及び図１２（ｂ）に示すように、第１多孔板（２１０）の内部空間を他方向で更に分割した場合、流体をより分散することができ、特に、複数のブロック間だけでなく、１つのブロック内に冷媒が再び集まることを防止する。
【０１２１】
また、第１多孔板（２１０）の内部空間を他方向で更に分割した場合、第１多孔板（２１０）とコア（１９０）との離隔をより安定的に維持できるという長所がある。特に、第１多孔板（２１０）を通過する流体の圧力によって第１多孔板（２１０）が屈曲してコア（１９０）と接触することを防止することができる。第１多孔板（２１０）とコア（１９０）が接触すると、接触した部分では流体の正常な供給ができなくなり熱交換効率が低下する虞がある。
【０１２２】
図１１及び図１２を参照すると、高温流体流入パイプ（１１０）を介して流入した高温流体は、高温流体流入ヘッド（１２０）、第１多孔板（２１０）、及び第１隔壁（３１０）を順次に通過してコア（１９０）に流入する。
【０１２３】
図１１及び図１３を参照すると、本実施形態の第２隔壁（３２０）は、第２多孔板（２２０）の周縁部を所定の高さで囲み、囲まれた内部空間を複数の領域に分割する形状である。図１１（ａ）及び図１３（ａ）には、第２多孔板（２２０）の周縁部を所定の高さで囲んだ内部空間を４個に分割した形状が示され、図１１（ｂ）及び図１３（ｂ）には８個に分割した形状が示されている。
【０１２４】
図１１（ｂ）及び図１３（ｂ）に図示した第２隔壁（３２０）は、第２多孔板（２２０）の周縁部を所定の高さで囲んだ内部空間を、図１１（ａ）及び図１３（ａ）に示すように一方向の格子で分割するだけではなく、他方向の格子でも分割する。すなわち、図１１（ａ）及び図１３（ａ）に図示した第２隔壁（３２０）において、第２多孔板（２２０）の周縁部を所定の高さで囲んだ内部空間を分割する部材を垂直部材（１）とすれば、図１１（ｂ）及び図１３（ｂ）に図示された第２隔壁（３２０）は、複数の垂直部材（１）だけでなく、各垂直部材（１）との間の空間を分割する複数の水平部材（２）を備えて、一方向の格子とは他方向の格子が互いに交差して内部空間を分割する。
【０１２５】
図１１（ｂ）及び図１３（ｂ）に示すように、第２の多孔板（２２０）の内部空間を他方向で更に分割した場合、流体をより分散することができ、特に、複数のブロック間だけでなく１つのブロック内に冷媒が再び集まることを防止する。
【０１２６】
また、第２多孔板（２２０）の内部空間を他方向で更に分割した場合、第２多孔板（２２０）とコア（１９０）の離隔をより安定的に維持できるという長所がある。特に、第２多孔板（２２０）を通過する流体の圧力によって第２多孔板（２２０）が屈曲してコア（１９０）と接触することを防止することができる。第２多孔板（２２０）とコア（１９０）が接触すると、接触した部分では流体の正常な排出ができなくなり熱交換効率が低下する虞がある。
【０１２７】
図１０及び図１３を参照すると、コア（１９０）から排出された高温流体は、第２隔壁（３２０）、第２多孔板（２２０）、及び高温流体排出ヘッド（１３０）を順次に通過して高温流体排出パイプ（１４０）を介して排出される。
【０１２８】
図１４は、本発明の第２実施形態に係る熱交換器が備える第３隔壁または第４隔壁の概略図である。図１５は、本発明の第２実施形態に係る熱交換器が備える第３隔壁と第３多孔板の概略図である。図１６は、本発明の第２実施形態に係る熱交換器が備える第４隔壁と第４多孔板の概略図である。
【０１２９】
図１４及び図１５を参照すると、本実施形態の第３隔壁（３３０）は、第３多孔板（２３０）の周縁部を所定の高さで囲み、囲まれた内部空間を複数の領域に分割する形状である。図１４（ａ）及び図１５（ａ）には、第３多孔板（２３０）の周縁部を所定の高さで囲んだ内部空間を４個に分割した形状が示され、図１４（ｂ）及び図１５（ｂ）には８個に分割した形状が示される。
【０１３０】
図１４（ｂ）及び図１５（ｂ）に図示された第３隔壁（３３０）は、第３多孔板（２３０）の周縁部を所定の高さで囲んだ内部空間を、図１４（ａ）及び図１５（ａ）に示すように一方向の格子で分割するだけではなく、他方向の格子でも分割する。すなわち、図１４（ａ）及び図１５（ａ）に図示された第３隔壁（３３０）において、第３多孔板（２３０）の周縁部を所定の高さで囲んだ内部空間を分割する部材を垂直部材（１）とすれば、図１４（ｂ）及び図１５（ｂ）に図示された第３隔壁（３３０）は、複数の垂直部材（１）だけでなく、各垂直部材（１）との間の空間を分割する複数の水平部材（２）を備えて、一方向の格子とは他方向の格子が互いに交差して内部空間を分割する。
【０１３１】
図１４（ｂ）及び図１５（ｂ）に示したように、第３多孔板（２３０）の内部空間を他方向で更に分割した場合、流体をより分散することができ、特に複数のブロックとの間だけでなく、１つのブロック内でも冷媒が再び集まることを防止する。
【０１３２】
また、第３多孔板（２３０）の内部空間を他方向で更に分割した場合、第３多孔板（２３０）とコア（１９０）の離隔をより安定的に維持できるという長所がある。特に、第３多孔板（２３０）を通過する流体の圧力によって第３多孔板（２３０）が屈曲してコア（１９０）と接触することを防止することができる。第３多孔板（２３０）とコア（１９０）が接触すると、接触した部分では流体の正常な供給ができなくなり熱交換効率が低下する虞がある。
【０１３３】
図１０及び図１５を参照すると、低温流体流入パイプ（１５０）に沿って流入した低温流体は、低温流体流入ヘッド（１６０）、第３多孔板（２３０）、及び第３の隔壁（３３０）を順次に通ってコア（１９０）に流入する。
【０１３４】
図１４及び図１６を参照すると、本実施形態の第４隔壁（３４０）は、第４多孔板（２４０）の周縁部を所定の高さで囲み、囲まれた内部空間を複数の領域で分割する形状である。図１４（ａ）及び図１６（ａ）には、第４多孔板（２４０）の周縁部を所定の高さで囲んだ内部空間を４個に分けた形状が示され、図１４（ｂ）及び図１６（ｂ）には８個に分割した形状が示される。
【０１３５】
図１４（ｂ）及び図１６（ｂ）に図示された第４隔壁（３４０）は、第４多孔板（２４０）の周縁部を所定の高さで囲んだ内部空間を、図１４（ａ）及び図１６（ａ）に示すように一方向の格子で分割するだけではなく、他方向の格子でも分割する。すなわち、図１４（ａ）及び図１６（ａ）に図示された第４隔壁（３４０）において、第４多孔板（２４０）の周縁部を所定の高さで囲んだ内部空間を分割する部材を垂直部材（１）とすれば、図１４（ｂ）及び図１４（ｂ）に図示された第４隔壁（３４０）は、複数の垂直部材（１）だけでなく各垂直部材（１）との間の空間を分割する複数の水平部材（２）を備えて、一方向の格子と他方向格子が互いに交差して内部空間を分割する。
【０１３６】
図１４（ｂ）及び図１６（ｂ）に示すように、第４多孔板（２４０）の内部空間を他方向で更に分割した場合、流体をより分散することができ、特に、複数のブロック間だけでなく、１つのブロック内でも、冷媒が再び集まることを防止する。
【０１３７】
また、第４多孔板（２４０）の内部空間を他方向にもう一度分ける場合には、第４多孔板（２４０）とコア（１９０）の離隔をより安定的に維持できるという長所がある。特に、第４多孔板（２４０）を通過する流体の圧力により第４多孔板（２４０）が屈曲してコア（１９０）と接触することを防止することができる。第４多孔板（２４０）とコア（１９０）が接触すると、接触した部分では流体の正常な排出ができなくなり熱交換効率が低下する虞がある。
【０１３８】
図１０及び図１６を参照すると、コア（１９０）から排出された低温流体は、第４隔壁（３４０）、第４多孔板（２４０）、及び低温流体排出ヘッド（１７０）を順次に通って低温流体排出パイプ（１８０）を介して排出される。
【０１３９】
図１７（ａ）は、従来の熱交換器の冷媒の流れを示した概略図である。図１７（ｂ）は本発明の第１実施形態に係る熱交換器の冷媒の流れを示した概略図である。図１７（ｃ）は本発明の第２実施形態に係る熱交換器の冷媒の流れを示した概略図である。
【０１４０】
図１７（ａ）を参照すると、従来の熱交換器の場合、低温流体流入パイプ（１５０）に流入した低温流体が、低温流体流入パイプ（１５０）の近くに位置した中心部のブロックに集中して供給されることがわかる。３つのブロックを備えた従来の熱交換器の場合には、低温流体流入パイプ（１５０）の近くに位置したブロックで約７０％の冷媒が供給され、他のブロックにはそれぞれ約１５％の冷媒が供給されて、ブロックとの間で冷媒流量の差が４倍以上に達することを確認した。
【０１４１】
図１７（ｂ）を参照すると、本発明の第１実施形態の熱交換器の場合、低温流体流入パイプ（１５０）に流入した低温流体が第３多孔板（２３０）によって分散されて、従来の熱交換器に比べて、比較的複数のブロックにそれぞれ均等に流入することが分かる。しかし、依然としてある程度は低温流体流入パイプ（１５０）の近く位置した中心部のブロックで低温流体が集中する現象が残っていることを確認できる。
【０１４２】
図１７（ｃ）を参照すると、本発明の第２実施形態の熱交換器の場合、低温流体流入パイプ（１５０）に流入した低温流体が第３多孔板（２３０）によって分散された後に第３隔壁（３３０）を通過して、従来の熱交換器に比べて、比較的複数のブロックにそれぞれ均等に流入することと、第１実施形態の熱交換器より均等に流入することが分かる。
【０１４３】
本実施形態の熱交換器は、複数のブロックに各々供給される流体または複数のブロックから各々排出される流体の流量の差が４倍未満であることを特徴とする。
【０１４４】
図１８（ａ）は、熱交換器の内部温度を測定するために設置した温度センサの位置を示した概略図である。図１８（ｂ）は図１８（ａ）に図示した位置で各々の温度センサが測定した熱交換器の内部の温度分布を示したグラフである。また、図１８（ｂ）に図示した破線（１）は、従来の熱交換器内部の温度分布を示し、実線（２）は本発明の第２実施形態に係る熱交換器の内部の温度分布を示す。
【０１４５】
図１８（ｂ）を参照すると、従来の熱交換器の場合には、中心部のブロックの温度が他のブロックの温度に比べて非常に低く、複数のブロック間の温度差が大きいことが確認できる。従来の熱交換器の場合には、最低温度部分と最高温度部分との温度差が約１３０〜１４０℃であることが確認された。
【０１４６】
一方、第２実施形態の熱交換器の場合、複数のブロック間の温度差が比較的小さいことが確認できる。本実施形態の熱交換器の場合、最低温度部分と最高温度部分との温度差が約４０〜５０℃であり、従来の熱交換器に比べてブロック間の温度差が減少することを確認した。
【０１４７】
本発明は、熱交換器の冷媒として蒸発ガスを使用し、熱交換器が複数のブロックを備えても、各ブロックに供給される冷媒の流量を比較的均等に維持することができ、各ブロック間の温度差を減らして熱交換効率を高めることができ、再液化対象蒸発ガスの流量が変化しても安定した再液化性能を確保することができる。
【０１４８】
また、多孔板はＳＵＳ材質で成形し、極低温の蒸発ガスとの接触で収縮されて冷媒が通過した後に再び元の状態に戻ることができる。薄い厚さの多孔板の熱交換器よりも熱容量が非常に少なく、多孔板と熱交換器を溶接する場合、熱容量の大きい熱交換器は蒸発ガスに接触しても収縮率が少なく、熱容量が小さい多孔板は蒸発ガスに接触すると収縮率が大きいため、多孔板が割れる虞がある。
【０１４９】
したがって、多孔板を熱伸縮の解消ができるように熱交換器と結合させる必要があり、本発明の第４実施形態及び第５実施形態では熱伸縮解消ができるように結合させた多孔板の一例を説明する。
【０１５０】
図１９は本発明の第３実施形態に係る熱交換器の一部を示す概略図であり、図２０は図１９のＡ部分を拡大した概略図である。
【０１５１】
本実施形態の熱交換器も、第１実施形態と同様に、図９に図示された従来のＰＣＨＥが備える構成に加えて、高温流体流入ヘッド（１２０）とコア（１９０）との間に設置される第１多孔板（２１０）、高温流体排出ヘッド（１３０）とコア（１９０）との間に設置される第２多孔板（２２０）、低温流体流入ヘッド（１６０）とコア（１９０）との間に設置される第３多孔板（２３０）、及び低温流体排出ヘッド（１７０）とコア（１９０）との間に設置される第４多孔板（２４０）のうち少なくとも１つ以上をさらに備える。
【０１５２】
図１９及び図２０を参照すると、本実施形態の第４多孔板（２４０）は低温流体排出ヘッド（１７０）に設置され、第４多孔板（２４０）が低温流体排出ヘッド（１７０）に直接溶接されるのではなく、２つの支持部材（４２０）が所定間隔で離隔して低温流体排出ヘッド（１７０）に溶接（４１０）され、第４多孔板（２４０）は２つの支持部材（４２０）の間に挟まれる。
【０１５３】
第４多孔板（２４０）は、２つの支持部材（４２０）との間に挟まれた状態であり、完全に固定された状態ではないため、極低温の蒸発ガスとの接触により収縮しても屈曲または破損せず、連結部分が破損されない。
【０１５４】
支持部材（４２０）は第４多孔板（２４０）の収縮に対応できる最小限の大きさであることが好ましく、支持部材（４２０）間の間隔も第４多孔板（２４０）の収縮で多少の遊動が可能な最小距離であることが好ましい。
【０１５５】
本実施形態の第１〜第３多孔板（２１０、２２０、２３０）も第４多孔板（２４０）と同様に、第１多孔板（２１０）は高温流体流入ヘッド（１２０）に所定間隔で離隔して溶接された２つの支持部材の間に挟まれ、第２多孔板（２２０）は高温流体排出ヘッド（１３０）に所定間隔で離隔して溶接された２つの支持部材の間に挟まれ、第３多孔板（２３０）は低温流体流入ヘッド（１６０）に所定間隔で離隔して溶接された２つの支持部材の間に挟まれる。
【０１５６】
図２１は、本発明の第４実施形態に係る熱交換器の一部を示す概略図であり、図２２は、図２１のＢ部分を拡大した概略図である。
【０１５７】
本実施形態の熱交換器も、第１実施形態と同様に、図９に図示された従来のＰＣＨＥが備える構成に加えて、高温流体流入ヘッド（１２０）とコア（１９０）との間に設置される第１多孔板（２１０）、高温流体排出ヘッド（１３０）とコア（１９０）との間に設置される第２多孔板（２２０）、低温流体流入ヘッド（１６０）とコア（１９０）との間に設置される第３多孔板（２３０）、及び低温流体排出ヘッド（１７０）とコア（１９０）との間に設置される第４多孔板（２４０）のうち１つ以上をさらに備える。
【０１５８】
図２１及び図２２を参照すると、本実施形態の第４多孔板（２４０）は、第３実施形態と同様に、低温流体排出ヘッド（１７０）に設置されるが、低温流体排出ヘッド（１７０）に直接溶接されない。
【０１５９】
ただし、本実施形態の第４多孔板（２４０）は、第３実施形態とは異なり、両端部がコア（１９０）と平行に延長して、コア（１９０）から離れる方向に段差がある形状であり、２つの支持部材（４２０）との間に挟まれるのではなく、１つの支持部材（４２０）とコア（１９０）との間に挟まれる。
【０１６０】
すなわち、１つの支持部材（４２０）がコア（１９０）と所定間隔に離隔して低温流体排出ヘッド（１７０）と溶接（４１０）され、コア（１９０）と平行に延長する第４多孔板（２４０）の両端部が支持部材（４２０）とコア（１９０）との間に挟まれ、第４多孔板（２４０）は支持部材（４２０）とコア（１９０）との間に位置した両端部からコア（１９０）と離れる方向に段差がある形状である。
【０１６１】
本実施形態の第４多孔板（２４０）は、支持部材（４２０）とコア（１９０）との間に挟まれて完全に固定した状態ではないため、極低温の蒸発ガスとの接触により収縮しても屈曲または破損せず、接続部が破損されない。
【０１６２】
本実施形態の支持部材（４２０）は、第４多孔板（２４０）の収縮に対応できる最小限の大きさであることが好ましく、支持部材（４２０）とコア（１９０）との間隔も第４多孔板（２４０）が収縮により多少の遊動が可能な最小距離であることが好ましい。また、コア（１９０）と平行に延長する第４多孔板（２４０）の両端部は、支持部材（４２０）とコア（１９０）との間に挟まれ、収縮による変形や遊動を許容できる最小の長さであることが好ましい。
【０１６３】
本実施形態の第１〜第３多孔板（２１０、２２０、２３０）も第４多孔板（２４０）と同様に、両端部がコア（１９０）と平行に延長した後、コア（１９０）から離れる方向に段差がある形状であり、第１多孔板（２１０）は高温流体流入ヘッド（１２０）に溶接された支持部材とコア（１９０）との間に両端部が挟まれて、第２多孔板（２２０）は高温流体排出ヘッド（１３０）に溶接された支持部材とコア（１９０）との間に両端部が挟まれ、第３多孔板（２３０）は低温流体流入ヘッド（１６０）に溶接された支持部材とコア（１９０）との間に両端が挟まれる。
【０１６４】
図２３（ａ）は、熱交換器の全体形状の概略図であり、図２３（ｂ）はブロックの概略図であり、図２３（ｃ）はチャネルプレートの概略図である。  図２３（ｂ）に図示されたブロックは拡散ブロック（ｄｉｆｆｕｓｉｏｎ  ｂｌｏｃｋ）であり得る。
【０１６５】
図２３を参照すると、低温流体と高温流体の熱交換が行われるコア（１９０）は複数のブロック（１９２）で構成され、ブロック（１９２）は複数の低温流体用のチャネルプレート（１９４）と、複数の高温流体用チャネルプレート（１９６）が交互に積層された構成である。各チャネルプレート（１９４、１９６）には、流体が流れるチャネルが複数形成される。
【０１６６】
図２４（ａ）は図２３（ｃ）に図示された低温流体用のチャネルプレートをＣ方向から見た概略図であり、図２４（ｂ）は従来の熱交換器の低温流体用のチャネルプレートのチャネルの概略図であり、図２４（ｃ）は本発明の第５実施形態に係る熱交換器の低温流体用のチャネルプレートのチャネルの概略図であり、図２４（ｄ）は本発明の第６実施形態に係る熱交換器の低温流体用のチャネルプレートのチャネルの概略図である。
【０１６７】
図２４を参照すると、チャネルプレートに形成されたチャネル（１９８）は、図２４（ｂ）に示すように幅が一定で一直線であることが一般的であるが、本発明の第５実施形態及び第６実施形態に係る熱交換器、流体に抵抗を与える形状のチャネルを備える。
【０１６８】
図２４（ｃ）を参照すると、第５実施形態の熱交換器は、流入部の幅が他の部分の幅に比べて狭い複数のチャネル（１９８）を備える。すなわち、本実施形態のチャネル（１９８）は、図２３（ｃ）のＣ方向からチャネルプレートを見た場合、流入部の断面積が他の部分に比べて狭く形成される。
【０１６９】
チャネル（１９８）の流入部の断面積が小さくなると、流入する流体が抵抗を受けて流動が分散し、複数個のうち特定のブロックに流体が集中する現象を緩和または防止する。
【０１７０】
図２４（ｄ）を参照すると、第６実施形態の熱交換器は、ジグザグ形状のチャネル（１９８）を複数備える。チャネル（１９８）をジグザグ状に形成すると、流体が抵抗を受けて流動が分散し、複数個のうち特定のブロックに流体が集中する現象を緩和または防止できる。
【０１７１】
本発明の第５実施形態及び第６実施形態の熱交換器は、流体の抵抗を与える形状のチャネルを備えるため、流体を分散させる別の部材を追加しなくても、複数個のうち特定のブロックに冷媒が集中する現象を緩和または防止できるという長所がある。
【０１７２】
本発明は、前記実施形態に限定されず、本発明の技術的要旨を逸脱しない範囲内で様々な修正または変形が可能であることは、本発明の属する技術分野における通常の知識を有する者において自明である。
【符号の説明】
【０１７３】
１０…圧縮機、２０…熱交換器、３０…減圧装置、４０…気液分離器、１１０…高温流体流入パイプ、１２０…高温流体流入ヘッド、１３０…高温流体排出ヘッド、１４０…高温流体排出パイプ、１５０…低温流体流入パイプ、１６０…低温流体流入ヘッド、１７０…低温流体排出ヘッド、１８０…低温流体排出パイプ、１９０…コア、１９２…ブロック、１９４…低温流体用のチャネルプレート、１９６…高温流体用のチャネルプレート、１９８…チャネル、２１０、２２０、２３０、２４０…多孔板、３１０、３２０、３３０、３４０…隔壁、４２０…支持部材。
【図１】
2018119684.tif 000004
【図２】
2018119684.tif 000005
【図３】
2018119684.tif 000006
【図４】
2018119684.tif 000007
【図５】
2018119684.tif 000008
【図６】
2018119684.tif 000009
【図７】
2018119684.tif 000010
【図８】
2018119684.tif 000011
【図９】
2018119684.tif 000012
【図１０】
2018119684.tif 000013
【図１１】
2018119684.tif 000014
【図１２】
2018119684.tif 000015
【図１３】
2018119684.tif 000016
【図１４】
2018119684.tif 000017
【図１５】
2018119684.tif 000018
【図１６】
2018119684.tif 000019
【図１７】
2018119684.tif 000020
【図１８】
2018119684.tif 000021
【図１９】
2018119684.tif 000022
【図２０】
2018119684.tif 000023
【図２１】
2018119684.tif 000024
【図２２】
2018119684.tif 000025
【図２３】
2018119684.tif 000026
【図２４】
2018119684.tif 000027
【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
１）ＬＮＧ貯蔵タンクから排出される蒸発ガスを圧縮するステップ；
２）蒸発ガスを冷媒として、前記１）ステップで圧縮した蒸発ガスを熱交換器で熱交換して冷却するステップ；
３）前記２）ステップで冷却された流体を膨張させるステップ；及び
４）ＬＮＧ船の運航条件が変わって、前記１）ステップで圧縮した後で前記熱交換器に供給される再液化対象蒸発ガスの流量が変動しても、再液化性能を安定的に維持するステップ；を含み、
前記１）ステップ〜３）ステップを経て再液化された蒸発ガスの量がＨＹＳＹＳによる計算値の５０％以上で維持されるＬＮＧ船の蒸発ガス再液化方法。
【請求項２】
５）前記３）ステップで膨張された流体を気液分離するステップをさらに含むことを特徴とする請求項１に記載のＬＮＧ船の蒸発ガス再液化方法。
【請求項３】
前記５）ステップで気液分離された気体成分は、蒸発ガスと合流して前記２）ステップで熱交換の冷媒として使用されることを特徴とする請求項２に記載のＬＮＧ船の蒸発ガス再液化方法。
【請求項４】
前記ＬＮＧ船の運航速度は１０〜１７ｋｎｏｔであることを特徴とする請求項１〜３のいずれか１項に記載のＬＮＧ船の蒸発ガス再液化方法。
【請求項５】
前記１）ステップで圧縮した蒸発ガスの一部はエンジンの燃料として使用され、
前記エンジンの燃料として使用される蒸発ガスの流量が１，１００〜２，６６０ｋｇ／ｈであることを特徴とする請求項１〜３のいずれか１項に記載のＬＮＧ船の蒸発ガス再液化方法。
【請求項６】
前記エンジンは、推進用エンジン及び発電用のエンジンを備えることを特徴とする請求項５に記載のＬＮＧ船の蒸発ガス再液化方法。
【請求項７】
前記再液化対象蒸発ガスの流量が１，９００〜３，３００ｋｇ／ｈであることを特徴とする請求項１〜３のいずれか１項に記載のＬＮＧ船の蒸発ガス再液化方法。
【請求項８】
前記２）ステップで熱交換の冷媒として使用される蒸発ガスの流量を基準に、前記再液化対象蒸発ガスの流量の比が０．４２〜０．７２の範囲であることを特徴とする請求項１〜３のいずれか１項に記載のＬＮＧ船の蒸発ガス再液化方法。
【請求項９】
前記１）ステップで圧縮した蒸発ガスのうち、前記エンジンに送らない蒸発ガスを更に圧縮した後で前記熱交換器に送ることを特徴とする請求項５に記載のＬＮＧ船の蒸発ガス再液化方法。
【請求項１０】
１）ＬＮＧ貯蔵タンクから排出される蒸発ガスを圧縮するステップ；
２）蒸発ガスを冷媒として、前記１）ステップで圧縮した蒸発ガスを熱交換して冷却するステップ；
３）前記２）ステップで冷却された流体を膨張させるステップ；及び
４）ＬＮＧ船の運航条件が変わって、前記２）ステップで熱交換の冷媒として使用される蒸発ガスの流量が変動しても、再液化性能を安定的に維持するステップ；を含み、
前記１）ステップ〜３）のステップを経て再液化された蒸発ガスの量がＨＹＳＹＳによる計算値の５０％以上で維持されるＬＮＧ船の蒸発ガス再液化方法。
【請求項１１】
５）前記３）ステップで膨張された流体を気液分離するステップをさらに含み、
前記５）ステップで気液分離された気体成分は蒸発ガスと合流して、前記２）ステップで熱交換の冷媒として使用されることを特徴とする請求項１０に記載のＬＮＧ船の蒸発ガス再液化方法。
【請求項１２】
ＬＮＧ貯蔵タンクから排出される蒸発ガスを高圧で圧縮し、高圧圧縮蒸発ガスの全部または一部を前記ＬＮＧ貯蔵タンクから排出される蒸発ガスと熱交換器で熱交換するステップ；及び熱交換した高圧圧縮蒸発ガスを減圧するステップ；を含む、高圧ガス噴射エンジンを備えるＬＮＧ船の蒸発ガス再液化方法において、
ＬＮＧ船の運航条件の変更、再液化対象蒸発ガスの流量が変動しても、再液化性能を安定的に維持するステップ；を含み、
再液化した蒸発ガスの量がＨＹＳＹＳによる計算値の５０％以上で維持される高圧ガス噴射エンジンを備えるＬＮＧ船の蒸発ガス再液化方法。
【請求項１３】
前記高圧圧縮蒸発ガスは超臨界状態であることを特徴とする請求項１２に記載の高圧ガス噴射エンジンを備えるＬＮＧ船の蒸発ガス再液化方法。
【請求項１４】
前記高圧圧縮蒸発ガスの圧力は１００〜４００ｂａｒａであることを特徴とする請求項１２に記載の高圧ガス噴射エンジンを備えるＬＮＧ船の蒸発ガス再液化方法。
【請求項１５】
前記高圧圧縮蒸発ガスの圧力は１５０〜４００ｂａｒａであることを特徴とする請求項１４に記載の高圧ガス噴射エンジンを備えるＬＮＧ船の蒸発ガス再液化方法。
【請求項１６】
前記高圧圧縮蒸発ガスの圧力は１５０〜３００ｂａｒａであることを特徴とする請求項１５に記載の高圧ガス噴射エンジンを備えるＬＮＧ船の蒸発ガス再液化方法。
【請求項１７】
前記熱交換器は高温流体と低温流体との熱交換が行われるコアを備え、
前記コアは複数のブロックを備えることを特徴とする請求項１に記載のＬＮＧ船の蒸発ガス再液化方法。
【請求項１８】
前記コアの前記複数のブロック間に断熱層又は断熱部が存在することを特徴とする請求項１７に記載のＬＮＧ船の蒸発ガス再液化方法。